(57)【要約】      （修正有）【課題】藻食動物の接近を源泉的に封鎖することのできる海中林の持続的成長のための藻食動物の侵入防止装置を提供する。【解決手段】海中林の持続的成長のための藻食動物の侵入防止装置は、海面を支持する多数の支柱部１１１を有する海中林構造物１１０と、支柱部が嵌入する嵌入口を有し、多数の支柱部にそれぞれ取り付けられる藻食動物遮断部１２０と、を備える。【選択図】図１
2018011595.tif 000002
【特許請求の範囲】
【請求項１】
海面を支持する多数の支柱部を有する海中林構造物と、
前記支柱部が嵌入する嵌入口を有し、前記多数の支柱部にそれぞれ取り付けられる藻食動物遮断部と、
を備える海中林の持続的成長のための藻食動物の侵入防止装置。
【請求項２】
前記藻食動物遮断部は、
前記支柱部の一方の側に配置される第１の遮断部と、
前記支柱部の他方の側に配置されて前記第１の遮断部と係合される第２の遮断部と、
前記第１及び第２の遮断部を互いに結束する結束部と、
を備える請求項１に記載の海中林の持続的成長のための藻食動物の侵入防止装置。
【請求項３】
前記第１の遮断部及び前記第２の遮断部は、
前記支柱部を囲繞するように形成される請求項２に記載の海中林の持続的成長のための藻食動物の侵入防止装置。
【請求項４】
前記藻食動物遮断部は、
前記海面に向かって対向する平面の網状構造物、網具又は鉄材構造物により形成される請求項１に記載の海中林の持続的成長のための藻食動物の侵入防止装置。
【請求項５】
前記藻食動物遮断部は、
捕獲空間を有する筒状構造に形成される請求項１に記載の海中林の持続的成長のための藻食動物の侵入防止装置。
【請求項６】
前記海中林構造物の上に取り付けられる障害物を更に備える請求項１に記載の海中林の持続的成長のための藻食動物の侵入防止装置。
【請求項７】
前記海中林構造物は、
前記多数の支柱部同士を繋ぎ合わせる横浅を備える請求項６に記載の海中林の持続的成長のための藻食動物の侵入防止装置。
【請求項８】
前記障害物は、
前記横浅の上に取り付けられる請求項７に記載の海中林の持続的成長のための藻食動物の侵入防止装置。
【請求項９】
前記障害物は、
ブラシ、縫い針、ロープ状の魚巣又は人造海藻草により形成される請求項６に記載の海中林の持続的成長のための藻食動物の侵入防止装置。
【請求項１０】
前記藻食動物遮断部は、
銅（Ｃｕ）又は銅合金を含む請求項１に記載の海中林の持続的成長のための藻食動物の侵入防止装置。
【請求項１１】
海面を支持する多数の支柱部を有する海中林構造物と、
前記支柱部により支持される前記海中林構造物の胴体部に取り付けられる藻食動物遮断部と、
を備える海中林の持続的成長のための藻食動物の侵入防止装置。
【発明の詳細な説明】
【技術分野】
【０００１】
本発明の実施形態は、海中林の持続的成長のための藻食動物の侵入防止装置に関する。
【背景技術】
【０００２】
白化海域に藻場を造成するために、藻礁（ｓｅａｗｅｅｄ ｒｅｅｆ）に海藻類を移植して投下する方法と、自然的な胞子加入（ｓｐｏｒｅ ｒｅｃｒｕｉｔｍｅｎｔ）を誘導するために藻礁及び胞子嚢を併用する方法、及び旺盛な海藻類摂食者であるウニの接近を抑えるための水中底延縄方法が利用されてきている。
【０００３】
白化海域の海藻の年中現存量は４．４ｋｇ／ｍ２であって、藻食動物（ウニ）の海藻要求量である７２ｋｇ／ｍ２（丸ウニ３０個体／ｍ２×６．６ｇ／個体／日×３６５日）よりも約１６倍ほど海藻量が絶対的に不足し、無節サンゴモのジブロモメタン（Ｄｉｂｒｏｍｏｍｅｔｈａｎｅ）（ＣＨ２ ＢＧ２）の分泌によるウニの誘引、無節サンゴモの上皮脱落防汚（ｅｐｉｔｈｅｌｉａｌ  ｓｌｏｕｇｈｉｎｇ Ａｎｔｉｆｏｕｌｉｎｇ）などの生態的な特性に起因する海藻類の破壊により発生し難さ及び繁殖し難さが加重されるような特性を示す。
【０００４】
このように、草食動物の旺盛な摂食活動により造成された藻場を数日内に荒れ果てさせることが確認されており、白化海域に移植された海藻類が海中林の形成を維持しながら自然的な胞子の加入のための種子銀行（ｓｅｅｄ ｂａｎｋ）としての役割を果たして健康な沿岸生態系に修復されるためには、ウニ類などの藻食動物の粗密を調整したり、ウニ類などの藻食動物の接近及び摂食を抑えたりする方法が切望されているのが現状である。
【発明の概要】
【発明が解決しようとする課題】
【０００５】
本発明は上述した問題を解消するために案出されたものであり、藻食動物の接近を源泉的に封鎖することのできる海中林の持続的成長のための藻食動物の侵入防止装置を提供することを目的とする。
【課題を解決するための手段】
【０００６】
上記目的を達成するための本発明の実施形態による海中林の持続的成長のための藻食動物の侵入防止装置は、海面を支持する多数の支柱部を有する海中林構造物と、前記支柱部が嵌入する嵌入口を有し、前記多数の支柱部にそれぞれ取り付けられる藻食動物遮断部と、を備える。
【０００７】
本発明の他の実施形態によれば、前記藻食動物遮断部は、前記支柱部の一方の側に配置される第１の遮断部と、前記支柱部の他方の側に配置されて前記第１の遮断部と係合される第２の遮断部と、前記第１及び第２の遮断部を互いに結束する結束部と、を備えていてもよい。
【０００８】
本発明の他の実施形態によれば、前記第１の遮断部及び前記第２の遮断部は、前記支柱部を囲繞するように形成されてもよい。
【０００９】
本発明の他の実施形態によれば、前記藻食動物遮断部は、前記海面に向かって対向する 平面の網状構造物、網具又は鉄材構造物により形成されてもよい。
【００１０】
本発明の他の実施形態によれば、前記藻食動物遮断部は、捕獲空間を有する筒状構造に形成されてもよい。
【００１１】
本発明の他の実施形態によれば、前記海中林の持続的成長のための藻食動物の侵入防止装置は、前記海中林構造物の上に取り付けられる障害物を更に備えていてもよい。
【００１２】
本発明の他の実施形態によれば、前記海中林構造物は、前記多数の支柱部同士を繋ぎ合わせる横浅を備えていてもよい。
【００１３】
本発明の他の実施形態によれば、前記障害物は、前記横浅の上に取り付けられてもよい。
【００１４】
本発明の他の実施形態によれば、前記障害物は、ブラシ、縫い針、ロープ状の魚巣又は人造海藻草により形成されてもよい。
【００１５】
本発明の他の実施形態によれば、前記藻食動物遮断部は、銅（Ｃｕ）又は銅合金を含んでいてもよい。
【００１６】
本発明の他の実施形態によれば、 前記海中林の持続的成長のための藻食動物の侵入防止装置は、海面を支持する多数の支柱部を有する海中林構造物と、前記支柱部により支持される前記海中林構造物の胴体部に取り付けられる藻食動物遮断部と、を備えていてもよい。
【発明の効果】
【００１７】
本発明の実施形態によれば、海中林の持続的成長のための藻食動物の侵入防止装置の様々な構造を用いて藻食動物の接近を源泉的に遮断することができる。
【００１８】
また、本発明の実施形態によれば、第１の遮断部及び第２の遮断部が支柱部を囲繞するように形成されて、海中林構造物の上部に造成される海藻類などの生態系をウニなどの藻食動物から保護することができる。
【００１９】
更に、本発明の実施形態によれば、海中林構造物の上部又は横浅の上に障害物を取り付けて藻食動物の経路を妨げたり、障害物の上に上がってくる場合に藻食動物の重さにより折り曲げられてそれ以上に上がって来ないようにするなどの遮断機能を提供することができる。
本発明の実施形態によれば、藻食動物遮断部を銅又は銅合金材料で構成して銅の抗菌性により表面に微生物、水中植物、藻類、チューブワーム、フジツボなどの水中生物が付着して寄生することを防ぐことができる。
【図面の簡単な説明】
【００２０】
【図１】本発明の一実施形態による海中林の持続的成長のための藻食動物の侵入防止装置を示す図である。
【図２】本発明の一実施形態による藻食動物遮断部を示す図である。
【図３】本発明の他の実施形態による藻食動物遮断部を示す図である。
【図４】本発明の一実施形態による藻食動物遮断部の網構造を示す図である。
【図５】本発明の一実施形態による藻食動物遮断部の網構造を示す図である。
【図６】本発明の一実施形態による藻食動物遮断部の網構造を示す図である。
【図７】本発明の一実施形態による藻食動物遮断部の網構造を示す図である。
【図８】本発明の一実施形態による藻食動物遮断部の網構造を示す図である。
【図９】本発明の他の実施形態による藻食動物遮断部を示す図である。
【図１０】本発明の他の実施形態による藻食動物遮断部を示す図である。
【図１１】本発明の他の実施形態による藻食動物遮断部を示す図である。
【図１２】本発明の他の実施形態による藻食動物遮断部を示す図である。
【図１３】本発明の他の実施形態による藻食動物遮断部を示す図である。
【図１４】本発明の一実施形態による障害物を示す図である。
【図１５】本発明の一実施形態による障害物を示す図である。
【図１６】本発明の一実施形態による障害物を示す図である。
【発明を実施するための形態】
【００２１】
以下、添付図面に基づいて本発明の好適な実施形態について詳細に説明する。但し、実施形態について説明するに当たって、関連する公知の機能若しくは構成についての具体的な説明が本発明の要旨を余計に曖昧にする虞があると認められる場合にはそれについての詳細な説明を省略する。なお、図面における各構成要素の大きさは説明のために誇張されていてもよく、実際に適用される大きさを意味するわけではない。
【００２２】
図１は、本発明の一実施形態による海中林の持続的成長のための藻食動物の侵入防止装置を示す図であり、図２は、本発明の一実施形態による藻食動物遮断部を示す図であり、図３は、本発明の他の実施形態による藻食動物遮断部を示す図である。なお、図４乃至図８は、本発明の一実施形態による藻食動物遮断部の網構造を示す図である。
【００２３】
図１に示すように、本発明の一実施形態による海中林の持続的成長のための藻食動物の侵入防止装置は、海中林構造物１１０及び藻食動物遮断部１２０を備える。
【００２４】
海中林構造物１１０は、海の生態系の保護又は復元のために海面に設けられる構造物であって、図１に示すように、上部には海藻類が棲息可能な空間が形成され、内部には魚類などの海生物が棲息可能な空間が設けられる。
【００２５】
より具体的に、前記海中林構造物１１０は、海面を支持する多数の支柱部１１１を備え、前記支柱部１１１に締め付けられる藻食動物遮断部１２０を備える。
【００２６】
前記支柱部１１１は、前記海中林構造物１１０を支持して内部に魚類などの海生物が棲息可能な空間を提供し、より具体的に、前記支柱部１１１は、図１に示すように、４つが配設されてもよい。
【００２７】
また、前記海中林構造物１１０は、前記多数の支柱部１１１同士を繋ぎ合わせる横浅１１２を備えて、前記支柱部１１１同士を強固に支持するように構成されてもよい。
【００２８】
藻食動物遮断部１２０は、海面に向かって対向する平面の網状構造物、網具又は鉄材構造物により形成されて前記支柱部１１１と係合され、より具体的に、図２に示すように、前記藻食動物遮断部１２０は、前記支柱部１１１が嵌入する嵌入口１２１を備えて、前記多数の支柱部１１１にそれぞれ取り付けられる網状構造に形成されてもよい。
【００２９】
このとき、図２に示すように、前記藻食動物遮断部１２０は、第１の遮断部１２５と、第２の遮断部１２６及び結束部１３０を備えていてもよい。
【００３０】
すなわち、前記第１の遮断部１２５は前記支柱部１１１の一方の側に配置され、第２の遮断部１２６は前記支柱部１２５の他方の側に配置されて前記第１の遮断部１２５と係合されるような構造を通じて、前記第１の遮断部１２５及び前記第２の遮断部１２６が前記支柱部１１１を囲繞するように形成されて、海中林構造物１１０の上部に造成される海藻類などの生態系をウニなどの藻食動物から保護することができる。
【００３１】
このとき、前記藻食動物遮断部１２０は、前記第１の遮断部１２５及び前記第２の遮断部１２６が前記支柱部１１１を囲繞するように形成され、結束部１３０が前記第１の遮断部１２５及び前記第２の遮断部１２６を互いに結束して前記藻食動物遮断部１２０がより強固に支柱部１１１の上に固定されるようにしてもよい。
【００３２】
より具体的に、図２に示すように、結束部１３０は、前記第１の遮断部１２５及び前記第２の遮断部１２６にそれぞれ形成される締付け部１３１、１３２の上にボルト１３５及びナット１３６により締め付けられて結束されるように構成されてもよい。
【００３３】
一方、本発明の一実施形態による藻食動物遮断部１２０は、図２に示すように、第１及び第２の遮断部１２５、１２６の締付け部１３１、１３２が互いに異なる方向に互い違いに形成されてもよく、互いに同じ方向を向くように形成されてもよい。
【００３４】
また、本発明の他の実施形態による藻食動物遮断部は、図３に示すように、締付け部１３１、１３２が第１及び第２の遮断部１２５、１２６の構造上の平面方向の外側に形成されてもよく、図３に示す実施形態の場合、藻食動物が締付け部１３１、１３２を介して支柱部１１１の上に上がって来ることをより手軽に防ぐことができる。
【００３５】
このような構成を有する藻食動物遮断部１２０は、平面の網状構造物により形成されてもよく、図４乃至図８に示すように、藻食動物を遮断し得る各種多様な網状構造物により形成されてもよい。
【００３６】
一方、本発明の他の実施形態による海中林の持続的成長のための藻食動物の侵入防止装置は、藻食動物遮断部１２０が海中林構造物１１０の胴体部１１３に取り付けられるように構成されてもよい。
【００３７】
このように、藻食動物遮断部１２０が海中林構造物１１０の胴体部１１３に取り付けられる場合には、藻食動物遮断部１２０が支柱部１１１に取り付けられるときと同様に、藻食動物の侵入を手軽に防ぐことができる。
【００３８】
また、本発明の他の実施形態によれば、前記藻食動物遮断部１２０は、支柱部１１１及び胴体部１１３に同時に設けられてより積極的に藻食動物を遮断することができる。
【００３９】
図９乃至図１３は、本発明の他の実施形態による藻食動物遮断部を示す図である。
【００４０】
以下、 図９乃至図１３に基づいて、本発明の他の実施形態による藻食動物遮断部について説明する。
【００４１】
本発明の他の実施形態による藻食動物遮断部は、図９乃至図１３に示すように、様々な形状に構成可能である。
【００４２】
より具体的に、藻食動物遮断部は、図９に示すように、平面の円形状に形成されてもよく、図１０に示すように、笠状に形成されてもよく、図１１に示すように、楕円柱状に形成されてもよく、図１２に示すように、円筒状に形成されてもよく、図１３に示すように、筌状に形成されてもよい。
【００４３】
このような構成を有する図９乃至図１３の藻食動物遮断部は、図２の実施形態と同様に、互いに対称となるように形成される第１の遮断部及び第２の遮断部により構成されて結束部により互いに結束されるように構成されてもよく、このとき、結着される支柱部側の網の間隔が支柱部と向かい合う側の網の間隔よりも稠密になるように形成される場合、藻食動物の侵入を効果的に遮断することができる。
【００４４】
また、前記藻食動物遮断部は、銅（Ｃｕ）又は銅合金材料により形成されることにより銅イオン（Ｃｕ＋＋）を放出し続けることができ、防汚塗料、ジテルペン固形物などの塗料を用いて藻食動物の摂食を回避することができ、筌状に形成される場合にはより効率よく藻食動物を遮断することができるという効果がある。
【００４５】
このように藻食動物遮断部が銅材料により形成されると、銅の抗菌性により表面にバクテリア、ウィルスなど各種の病原菌が生息することができない。このため、銅合金により形成された藻食動物遮断部を水中に長時間に亘って設けても微生物、水中植物、藻類 、チューブワーム、フジツボなどの水中生物が付着して寄生することができないため、付着生物の除去のために定期的に網具を掃除する必要がない。
【００４６】
図１４乃至図１６は、本発明の一実施形態による障害物を示す図である。
図１に示すように、海中林構造物１１０の上には障害物１４１、１４２が取り付けられてもよい。
【００４７】
前記障害物１４１、１４２は、海中林構造物１１０の上への藻食動物の流入を遮断又は妨害するためのものであり、図１４に示すように、プラスチック製ブラシ形状又は床ブラシ形状により形成されてもよく、図１５に示すように、ロープ状の魚巣により形成されてもよく、図１６に示すように、人造海藻草により形成されてもよい。
【００４８】
例えば、前記障害物１４１、１４２は、海中林構造物１１０の支柱部１１１を囲繞するロープに魚巣の形で形成されてもよい。
【００４９】
このような障害物１４１、１４２は、海中林構造物１１０の上部又は横浅１１２の上に取り付けられて、藻食動物の経路を妨げたり、障害物１４１、１４２の上に上がってくる場合に藻食動物の重さにより折り曲げられてそれ以上に上がって来ないようにしたり、付着される藻食動物を海流により脱落させたりするなどの遮断機能を有する。
【００５０】
上述したように、本発明の詳細な説明の欄においては本発明の具体的な実施形態について説明した。しかしながら、本発明の範囲から逸脱しない範囲内において種々に変形可能である。本発明の技術的思想は、本発明の上述した実施形態に制限されて定められてはならず、特許請求の範囲だけではなく、この特許請求の範囲と均等なものにより定められるべきである。
【符号の説明】
【００５１】
１１０  海中林構造物
１１１  支柱部
１１２  横浅
１１３  胴体部
１２０  藻食動物遮断部
１２１  嵌入口
１２５  第１の遮断部
１２６  第２の遮断部
１３０  結束部
１３１、１３２  締付け部
１３５  ボルト
１３６  ナット
１４１、１４２  障害物
【図１】
2018011595.tif 000003
【図２】
2018011595.tif 000004
【図３】
2018011595.tif 000005
【図４】
2018011595.tif 000006
【図５】
2018011595.tif 000007
【図６】
2018011595.tif 000008
【図７】
2018011595.tif 000009
【図８】
2018011595.tif 000010
【図９】
2018011595.tif 000011
【図１０】
2018011595.tif 000012
【図１１】
2018011595.tif 000013
【図１２】
2018011595.tif 000014
【図１３】
2018011595.tif 000015
【図１４】
2018011595.tif 000016
【図１５】
2018011595.tif 000017
【図１６】
2018011595.tif 000018